(57)【要約】  複数の受信アンテナ（１６０、１６２）と単一の送信アンテナ（１６０）とを有する加入者ユニット１０４が、複数の送信アンテナ（６０２，６０４，６０６及び６０８）を有する基地局（１０２）において使用されるビーム形成重み付けを導出する。ダウンリンクビーム形成重み付けは、加入者ユニット（１０４）において、基地局（１０２）から加入者装置（１０４）への以前のダウンリンク送信より導出され、アップリンク音響信号は、導出されたダウンリンクビーム形成重み付けを基地局（１０２）に搬送するために使用される。（重み付け無しの）特定のダウンリンクアンテナパイロットは、ビーム形成重み付けを判定するために加入者装置（１０４）において使用される。音響副搬送波の数が基地局（１０２）におけるアンテナの数と少なくとも同数である場合、デシメートされた音響信号は、複数のユーザが同時に発することを可能とする。
2010506451.tif 000002
【特許請求の範囲】
【請求項１】
ＲＦ通信受信機における方法において、
受信機における少なくとも一つの受信アンテナを用いてｎ個のダウンリンクパイロット信号を受信するステップであって、ｎ個のダウンリンクパイロット信号の各々が、前記ｎ個のダウンリンクパイロット信号を送信する遠隔送信機におけるｎ個のダウンリンク送信アンテナのうちの一つと関連付けられる、前記受信するステップと、
前記受信したｎ個のダウンリンクパイロット信号に基づいて、前記受信機における少なくとも一つの受信アンテナ内の各受信アンテナと前記遠隔送信機におけるｎ個のダウンリンク送信アンテナ内の各ダウンリンク送信アンテナとの間のＲＦ伝播チャネルを判定するステップと、
各ダウンリンクＲＦ伝播チャネルの特性に基づいて、前記遠隔送信機から前記受信機への各ダウンリンクデータストリームに関するｎ個のダウンリンク送信アンテナ重み付け係数を判定するステップであって、前記ｎ個のダウンリンク送信アンテナ重み付け係数内の各ダウンリンク送信アンテナ重み付け係数は、前記ｎ個のダウンリンク送信アンテナ内の一つのダウンリンク送信アンテナに付与されるべき重み付け係数に対応し、一つのダウンリンクデータストリームが、少なくとも一つのダウンリンクデータストリーム内の前記遠隔送信機から前記受信機に送信される、前記判定するステップと、
変調信号をｎ個のアップリンク副搬送波内の各アップリンク副搬送波上に変調するステップであって、各変調信号が、ｎ個のダウンリンク送信アンテナ重み付け係数内の一つのダウンリンク送信アンテナ重み付け係数と対応する複素数値を備える、前記変調するステップと、
前記アップリンク副搬送波を送信するステップと、
を備える方法。
【請求項２】
前記変調するステップが
前記遠隔送信機から前記受信機への少なくとも一つのダウンリンクデータストリームに対応する第１のアンテナ重み付けを用いて前記ｎ個のアップリンク副搬送波内の第１の副搬送波上で各信号を変調するステップと、
前記遠隔送信機から前記受信機への少なくとも一つのダウンリンクデータストリームに対応するｍ番目のアンテナ重み付けに対応する複素数値を用いてｎ個の副搬送波のｍ番目を変調するステップであって、各アップリンク副搬送波が、デシメーション係数によって他のアップリンク副搬送波から分離されており、１＜ｍ≦ｎである、前記変調するステップと、
を備える請求項１に記載の方法。
【請求項３】
前記ｎ個のアップリンク副搬送波のｍ番目を変調するステップが、
第１の和を生成するために、ｎ個の基地局送信アンテナと、送信能力のある少なくとも一つの受信アンテナ内の受信アンテナとの間の前記第１の副搬送波に関するＲＦ伝播チャネルに対応する複素数値を合計するステップと、
前記第１の和の共役を計算するステップと、
変調信号を生成するために、前記第１の和の共役を前記第１のダウンリンクアンテナ重み付けに乗算するステップと、
前記第１の副搬送波に関する変調信号をスケーリングするステップと、
を備える請求項２に記載の方法。
【請求項４】
前記第１のダウンリンクアンテナ重み付けを量子化するステップと、
前記和の共役を前記第１のダウンリンクアンテナ重み付けに乗算する前に、前記第１のダウンリンクアンテナ重み付けを変調するステップと、
をさらに備える請求項３に記載の方法。
【請求項５】
前記ｎ個のアップリンク副搬送波のｍ番目を変調するステップが、
ｍ番目の和を生成するために、ｎ個の基地局送信アンテナと、送信能力のある少なくとも一つの受信アンテナ内の受信アンテナとの間の前記ｍ番目の副搬送波に関するＲＦ伝播チャネルに対応する複素数値を合計するステップと、
前記ｍ番目の和の共役を計算するステップと、
前記ｍ番目の副搬送波に関する変調信号を生成するために、前記ｍ番目の和の共役を前記ｍ番目のダウンリンクアンテナ重み付けに乗算するステップと、
前記ｍ番目の副搬送波に関する変調信号をスケーリングするステップと、
を備える請求項３に記載の方法。
【請求項６】
前記ｎ個の副搬送波のｍ番目を変調するステップが、
ｍ番目の和を生成するために、ｎ個の基地局送信アンテナと、送信能力のある少なくとも一つの受信アンテナ内の受信アンテナとの間の前記ｍ番目の副搬送波関するＲＦ伝播チャネルに対応する複素数値を合計するステップと、
前記ｍ番目の和の共役を計算するスッテプと、
前記ｍ番目のダウンリンクアンテナ重み付けを量子化するステップと、
前記ｍ番目の副搬送波に関する変調信号を生成するために、前記ｍ番目の和の共役をｍ番目の量子化されたダウンリンクアンテナ重み付けに乗算するステップと、
前記ｍ番目の副搬送波に関する変調信号をスケーリングするステップと、
を備える請求項２に記載の方法。
【請求項７】
ローカル送受信機における遠隔送受信機から、アップリンク副搬送波上の複数の信号を受信するように適合された受信機であって、複数のアップリンク信号における各アップリンク信号は、前記ローカル送受信機におけるダウンリンク送信アンテナに付与されるべきダウンリンク送信アンテナ重み付けを表す複素数値によって変調される、前記受信機と、
アップリンク副搬送波上の前記複数の信号を復調することによって、各アップリンク副搬送波上に信号が変調された複素数値をそれぞれ含む複数のダウンリンク送信アンテナ重み付けを抽出するように適合された重み付け抽出プロセッサと、
備える基地局。
【請求項８】
信号を前記遠隔送受信機に送信するときに、複数のダウンリンク送信アンテナ重み付け内のそれぞれのダウンリンク送信アンテナ重み付けを前記ローカル送受信機における各ダウンリンク送信アンテナに付与するように適合された重み付けユニットをさらに備える請求項７に記載の基地局。
【請求項９】
前記重み付け抽出プロセッサが、アンテナ重み付けに関する変調信号に対応する前記アップリンク副搬送波上の複数の受信信号を組み合わせることにより複数のダウンリンク送信アンテナ重み付けを導出することによって抽出されるようにさらに適合される請求項７に記載の基地局。
【請求項１０】
前記重み付け抽出プロセッサが、各アップリンク副搬送波上に変調された複素数値をそれぞれ含む複数のダウンリンク送信アンテナ重み付けに対応するアップリンク副搬送波上の複数の受信信号を組み合わせることによって抽出するようにさらに適合される請求項７に記載の基地局。
【請求項１１】
信号を前記遠隔送受信機に送信するときに、複数のダウンリンク送信アンテナ重み付け内のそれぞれのダウンリンク送信アンテナ重み付けを前記ローカル送受信機における各ダウンリンク送信アンテナに付与するように適合された重み付けユニットをさらに備える請求項１０に記載の基地局。
【請求項１２】
前記受信機が、
第１から第ｎまでのアップリンク副搬送波をローカル送受信機上のｎ個のアンテナの１番目において受信するように適合されており、第１から第ｎまでのアップリンク副搬送波における各々のアップリンク副搬送波は、デシメーション値によって分離され、且つ前記ローカル送受信機おける各ダウンリンク送信アンテナに付与されるべきダウンリンク送信アンテナ重み付けを表す複素数値によって変調され、
前記ローカル送受信機上のｎ個のアンテナのｍ番目において、ｍ×ｎ−（ｎ−１）からｍ×ｎまでのアップリンク副搬送波のｍ番目の組上の信号を受信するように適合されており、前記ｍ×ｎ−（ｎ−１）からｍ×ｎまでのアップリンク副搬送波における各々のアップリンク副搬送波は、前記デシメーション値によって分離され、且つ前記ローカル送受信機におけるそれぞれのダウンリンク送信アンテナに付与されるべきダウンリンク送信アンテナ重み付けを表すそれぞれの複素数値のうちの対応する一つによって変調されたシンボルを搬送し、少なくとも一つのダウンリンクデータストリーム内の受信機に送信されるべき第１のダウンリンクデータストリームが前記受信機に送信され、１＜ｍ≦ｎであり、
前記重み付け抽出プロセッサは、各アップリンク副搬送波上で変調された複素数値をそれぞれ含む抽出された複数のダウンリンク送信アンテナ重み付けを抽出するようにさらに適合される請求項７に記載の基地局。
【請求項１３】
ダウンリンク信号を前記遠隔送受信機に送信するときに、抽出された複数のダウンリンク送信アンテナ重み付け内のそれぞれのダウンリンク送信アンテナ重み付けを前記ローカル送受信機における各ダウンリンク送信アンテナに付与するように適合された重み付けユニットをさらに備える請求項１２に記載の基地局。
【請求項１４】
アンテナビーム形成重み付け値を通信する方法において、
第１の送受信機において、少なくとも一つの受信アンテナを用いてｎ個のダウンリンクパイロット信号を受信するステップであって、ｎ個のダウンリンクパイロット信号の各々が、前記ｎ個のダウンリンクパイロット信号を送信する第２の送受信機におけるｎ個のダウンリンク送信アンテナのうちの一つと関連付けられる、前記受信するステップと、
前記受信したｎ個のダウンリンクパイロット信号に基づいて、前記第１の送受信機における少なくとも一つの受信アンテナ内の各受信アンテナと前記第２の送受信機におけるｎ個のダウンリンク送信アンテナ内の各ダウンリンク送信アンテナとの間のＲＦ伝播チャネルを判定するステップと、
各ダウンリンクＲＦ伝播チャネルの特性に基づいて、前記遠隔送信機から前記受信機への各ダウンリンクデータストリームに関するｎ個のダウンリンク送信アンテナ重み付け係数を判定するステップであって、ｎ個のダウンリンク送信アンテナ重み付け係数内の各ダウンリンク送信アンテナ重み付け係数は、前記ｎ個のダウンリンク送信アンテナ内の一つのダウンリンク送信アンテナに付与されるべき重み付け係数に対応し、一つのダウンリンクデータストリームが、少なくとも一つのダウンリンクデータストリーム内の前記第１の送受信機に前記第２の送受信機から送信される、前記判定するステップと、
変調信号をｎ個のアップリンク副搬送波内の各アップリンク副搬送波上に変調するステップであって、各変調信号が、前記ｎ個のダウンリンク送信アンテナ重み付け係数内の一つのダウンリンク送信アンテナ重み付け係数と対応する複素数値を備える、前記変調するステップと、
前記アップリンク副搬送波を送信するステップと、
第２の送受信機において第１の送受信機から、前記アップリンク副搬送波を受信するステップであって、複数のアップリンク信号における各々のアップリンク信号は、前記第２の送受信機におけるダウンリンク送信アンテナに付与されるべきダウンリンク送信アンテナ重み付けを表す複素数値によって変調される、前記受信するステップと、
アップリンク副搬送波上の複数の信号を復調することによって、各アップリンク副搬送波上で信号が変調された複素数値をそれぞれ含む複数のダウンリンク送信アンテナ重み付けを抽出するように適合された重み付け抽出プロセッサと
を備える方法。
【発明の詳細な説明】
【技術分野】
【０００１】
本願は、一般に無線通信に関し、より詳細には、基地局から複数の受信アンテナを有する移動体へのダウンリンクビーム形成に関する。
【背景技術】
【０００２】
通信システムは、一般にそれらの通信パラメータ（例えば、データ転送速度、チャネル帯域幅、変調形式等）の観点から規定される。通信システムの通信パラメータは、通信チャネルの特性及び要求された通信形式によって選択される。
【０００３】
移動体通信システムにおいて、通信ユニット間の信号の伝播は、通信チャネルの急速に変化するマルチパス及びフェージング特性によって影響を受ける。結果として、このような移動体通信システムのための通信パラメータは、マルチパスやフェージングの影響によるチャネルの利得及び遅れ特性の変化を考慮して選択される。
【０００４】
一般に、通信システムの通信パラメータは、固定されている。しかしながら、移動体通信システムにおけるシステム性能を最大限に活かすために、急速に変化する通信チャネルの現在の状況に応じて、通信システムの通信パラメータを連続的に最適化することは有利である。
【０００５】
移動体通信システムの通信パラメータを連続的に最適化するために、通信チャネルの特性に関する正確なリアルタイム情報が収集される。そして、この情報が処理されて、通信システムの通信パラメータが現在のチャネル特性に応じて最適化される。
【０００６】
１９７０年代前半、順方向チャネル音響（ｓｏｕｎｄｉｎｇ）情報を判定するための提案がなれた。順方向チャネル音響器を使用する通信システムにおいて、移動体ユニットは、アップリンクにおいて公知のトーン又はシーケンスを基地局（ＢＳ）に送信する。各基地局は、固定された場所にあり、移動体装置と他の通信システムとの間のアクセスポイントとして機能する、高出力マルチ・チャネル双方向無線の媒介手段である。基地局は、情報を処理し、二つの通信ユニット間の将来の通信に使用するために、所望された通信パラメータをダウンリンクにおいて移動体ユニットに送信する。ＴＤＤシステムに関して、ダウンリンク（ＤＬ）ＲＦチャネルは、アップリンク（ＵＬ）ＲＦチャネルと類似し、従ってアップリンク音響信号を使用してＢＳにおいて生成できる。
【０００７】
通信性能を増大させる公知の方法は、アンテナ「ビーム形成」を通じて行われる。ビーム形成は、アンテナのアレイで使用される信号処理技術であり、放射パターンの指向性は、協調型アンテナの位相を調節することによって制御される。信号を送信するときに、ビーム形成は、放射パターンにピーク値及びヌル値を付与するように各々のアンテナの位相を調節することよって、信号が送られるべき方向における利得を増加させるために使用される。
【発明の概要】
【発明が解決しようとする課題】
【０００８】
ＢＳと通信する移動体ユニットの例は、二つの受信アンテナを有し、一つの送信アンテナのみを有する移動体ユニットである。ＤＬチャネル情報は、基地局アンテナのダウンリンクビーム形成を適切に実行するために使用される。ＴＤＤシステムにおいて、移動体ユニットの単一の送信アンテナからのＵＬ音響信号は、ＢＳアンテナから、移動体ユニットにおける非送信の受信専用アンテナに対し、ＤＬチャネル情報を提供しない。ＦＤＤシステムにおいて、ＵＬ及びＤＬは異なる搬送周波数を用いるので、ＵＬ音響信号から推定されるＵＬチャネル情報は、ＤＬチャネルと異なる。
【０００９】
従って、上述されたような先行技術に関する問題を克服するための必要性が存在する。
【課題を解決するための手段】
【００１０】
簡潔に、本願発明に従って、ＲＦ通信受信機が、受信機において、少なくとも一つの受信アンテナを使用するｎ個のダウンリンクパイロット信号を受信するステップを含み、ｎ個のダウンリンクパイロット信号の各々が、ｎ個のダウンリンクパイロット信号を送信する遠隔送信機におけるｎ個のダウンリンク送信アンテナのうちの一つと関連付けられる、方法が開示されている。この方法が、受信したｎ個のダウンリンクパイロット信号に基づいて、受信機における少なくとも一つの受信アンテナ内の各受信アンテナと、遠隔送信機におけるｎ個のダウンリンク送信アンテナ内の各ダウンリンク送信アンテナとの間のそれぞれのＲＦ伝播チャネルをさらに判定するステップを含む。この方法は、各ダウンリンクＲＦ伝播チャネルの特性に基づいて、遠隔送信機から受信機への各ダウンリンクデータストリームに関するｎ個のダウンリンク送信アンテナ重み付け係数を判定するステップであって、ｎ個のダウンリンク送信アンテナ内の各ダウンリンク送信アンテナ重み付け係数は、ｎ個のダウンリンク送信アンテナの一つのダウンリンクデータストリーム内の一つのダウンリンク送信アンテナに付与されるべき重み付け係数に対応し、一つのダウンリンクデータストリームが、少なくとも一つのダウンリンクデータストリーム内の遠隔送信機から受信機に送信される。この方法は、変調信号をｎアップリンク副搬送波内の各アップリンク副搬送波に変調するステップをさらに含み、各変調信号は、ｎ個のダウンリンク送信アンテナ重み付け係数内の一つのダウンリンク送信アンテナ重み付け係数と対応する複素数値を備え、アップリンク副搬送波を送信するステップを含む。
【００１１】
本願発明の別の態様に従って、基地局は、ローカル（局所的な）送受信機における遠隔送受信機から、アップリンク副搬送波上の複数の信号を受信するように適合された受信機を含み、この複数のアップリンク信号内の各々のアップリンク信号は、ローカル（局所的な）送受信機におけるそれぞれのダウンリンク送信アンテナに付与されたダウンリンク送信アンテナ重み付けの提示を含むそれぞれの複素数値によって変調される。基地局は、アップリンク副搬送波上の複数の信号を変調することによって、（各々の）それぞれの変調された信号の複素数値を（各々の）それぞれのアップリンク副搬送波上に含む、複数のダウンリンク送信アンテナ重み付けを抽出するように適合された重み付け抽出プロセッサをさらに含む。
【図面の簡単な説明】
【００１２】
【図１】典型的な通信ネットワークを例示するブロック図。
【図２】ＤＬ，ＵＬ，ＵＬ音響間の関係を示すＴＤＤプロットであり、本願発明の実施形態によるＤＬデータ送信に関する図。
【図３】本願発明の実施形態による第１のＴＤＤ  ＦＤＭＡ方式の動作フロー図。
【図４】本願発明の実施形態による第２のＴＤＤ  ＦＤＭＡ方式の動作フロー図。
【図５】本願発明の実施形態による典型的な基地局制御を例示するブロック図。
【図６】本願発明の実施形態による重み付けユニットを通じた、複数の基地局アンテナ、基地局受信機及び基地局アンテナ間のＲＦ相互接続を例示する図。
【発明を実施するための形態】
【００１３】
要求されているように、本願発明の詳細な実施形態は、本明細書に開示される。しかしながら、開示された実施形態は、単に本発明の例示であり、様々な形態で実施できることを理解されたい。従って、本明細書に開示された特定の構造及び機能的な詳細は、制限として解釈されるべきではなく、単に特許請求の範囲のための基準であり及び任意の適切な詳細な構造において本願発明を事実上採用する当業者に教示するために表す基準である。さらに、本明細書に使用された用語及び成句は、制限を意図せず、むしろ、本発明の理解を容易にする説明を提供するために使用される。
【００１４】
本明細書に使用される用語「複数」は、二つ以上として定義される。本明細書に使用される用語「別の」は、少なくとも第２の又はそれ以上のとして規定される。本明細書に使用される用語「含む」及び／又は「有する」は、備えるとして規定される（即ち、オープン言語である）。本明細書に使用される用語「結合される」は、直接的である必要はなく、且つ機械的である必要もないが、接続されるとして定義される。
【００１５】
本願発明の実施形態は、送信アンテナよりも多くの受信のアンテナを通常有する移動体送信／受信装置（本明細書において「加入者ユニット」（ＳＵ）として称される）を備える、ＦＤＤ無線通信ネットワークにおいて及びＴＤＤ無線通信ネットワークにおいてダウンリンクビーム形成に関するシステムを提供する。本願発明の実施形態に従って、ＳＵは、ダウンリンクアンテナの特定のパイロットシンボルに関する以前のダウンリンク送信に基づいて、基地局（ＢＳ）の送信アンテナに付与されるべきダウンリンクビーム形成重み付けを判定する。一の例において、ダウンリンクビーム形成重み付けは、複素数であり、この複素数は、基地局の各々の送信アンテナと移動体ＳＵの各々の受信アンテナとの間の伝播チャネルに適合された送信パターンを形成するために、送信されたダウンリンク信号に付与される。ＳＵは、アップリンク音響チャネルを使用して、判定されたビーム形成重み付けを伝える。ＢＳは、各アンテナに関するＢＳ重み付けを判定するために音響シンボル副搬送波上に受信した信号を組み合わせ、次に、アップリンク音響チャネル上のＳＵから受信した重み付けに基づいて各々のＳＵ受信機アンテナに関して対応するビームを形成する。
【００１６】
図１は、通信システム１００のブロック図を示す。第１の通信ユニット１０２はＢＳであり、第２の通信ユニット１０４はＳＵである。ＢＳ１０２は、ＳＵ１０４と通信するための四つのアンテナＢＳＡｎｔ−０，ＢＳＡｎｔ−１，ＢＳＡｎｔ−２，ＢＳＡｎｔ−３のアレイに結合される送信機１０６と受信機１０８との両方を含む。送信機１０６と受信機１０８とを四つのアンテナＢＳＡｎｔ−０，ＢＳＡｎｔ−１，ＢＳＡｎｔ−２，ＢＳＡｎｔ−３のアレイに結合することが、重み付けユニット１５０を経由して達成される。重み付けユニット１５０の相互接続が、図６に示される。
【００１７】
図６に示されるように、重み付けユニット１５０は、一組の送信重み付け乗算器Ｔｘｗ０，Ｔｘｗ１，Ｔｘｗ２，Ｔｘｗ３と一組の受信重み付け乗算器Ｒｘｗ０，Ｒｘｗ１，Ｒｘｗ２，Ｒｘｗ３とを含む。この重み付け乗算器Ｔｘｗ０，Ｔｘｗ１，Ｔｘｗ２，Ｔｘｗ３のうちの分離した一つが、送信機１０６とＢＳアンテナＢＳＡｎｔ−０  ６０２，ＢＳＡｎｔ−１  ６０４，ＢＳＡｎｔ−２  ６０６，ＢＳＡｎｔ−６０８の各々との間にそれぞれ結合される。各々の乗算器Ｔｘｗ０，Ｔｘｗ１，Ｔｘｗ２，Ｔｘｗ３は、特定された複素数重み付けｗ０，ｗ１，ｗ２，ｗ３のそれぞれによって送信信号を乗算する。
【００１８】
同様に、一組の受信重み付け乗算器Ｒｘｗ０，Ｒｘｗ１，Ｒｘｗ２，Ｒｘｗ３は、受信機１０８とＢＳアンテナＢＳＡｎｔ−０  ６０２，ＢＳＡｎｔ−１  ６０４，ＢＳＡｎｔ−２  ６０６，ＢＳＡｎｔ−３  ６０８のそれぞれとの間に結合される。各々の乗算器Ｒｘｗ０，Ｒｘｗ１，Ｒｘｗ２，Ｒｘｗ３は、特定された重み付けｗ０，ｗ１，ｗ２及びｗ３のそれぞれによって受信信号を乗算する。
【００１９】
ＢＳ１０２は、制御装コントローラ置（以後、制御器、制御機も同様）１１８によって制御される。コントローラ１１８は、ＢＳ１０２の中枢部であり、無線チャネルの割り当てを扱い、ＳＵからの測定（計測）を受信し、送信及び受信アンテナに関するビーム形成重み付けをセットし、且つＢＳから他のＢＳへのハンドオーバーを制御する。さらに、搬送周波数、周波数ホッピングリスト、電力減少レベル、セル境界線計測に関する受信レベル等の情報を含む、サイトに関するデータベースは、コントローラ１１８に格納される、又はコントローラ１１８に通信可能に結合される。
【００２０】
ＳＵ１０４は、二つの受信アンテナＳＵＡｎｔ−０  １６０，ＳＵＡｎｔ−１  １６２に結合された受信機１１４を含むと共に、送信及び受信アンテナの両方であるＳＵＡｎｔ−０  １６０に結合された送信機１１２をさらに含む。従って、ＢＳ１０２において四つの送信アンテナがあり、ＳＵ１０４において二つの受信機アンテナがある。この例示において、ＢＳからＳＵへの８つのダウンリンク伝播チャネルがあり、各チャネルは各々のＢＳ送信アンテナから各々のＳＵ受信アンテナへのチャネルである。
【００２１】
ＳＵ１０４は、装置コントローラ／プロセッサ１２０の制御の下で動作され、この装置１２０は、無線の通信信号の送信及び受信を制御する。受信モードにおいて、装置コントローラ１２０は、送受信信号結合器１２２を介してアンテナＳＵＡｎｔ−０  １６０，ＳＵＡｎｔ−１  １６２を受信機１１４に電気的に結合する。受信機１１４は、受信した信号を復号し、これら復号した信号を装置コントローラ１２０に提供する。
【００２２】
送信モードにおいて、装置コントローラ１２０は、送信機１１２を送信／受信信号結合器１２２を介してアンテナＳＵＡｎｔ−０１６０に電気的に結合する。装置コントローラ１２０は、メモリ１２４に格納された指示に従い送信機１１２と受信機１１４とを操作する。
【００２３】
一つの実施形態において、ＳＵ１０４は、ＩＥＥＥ８０２．１６ｅ規格、３ＧＰＰ／３ＧＰＰ２規格、或いは時分割復信（ＴＤＤ）又は周波数分割復信（ＦＤＤ）をサポートする任意の他の通信方式を使用する無線通信データに適応出来る。ＴＤＤ通信方式によって提供されるように、アップリンク（ＵＬ）及びダウンリンク（ＤＬ）チャネルは、ＢＳアンテナキャリブレーション（較正）の後で対称性を有する。
【００２４】
図２は、ＴＤＤ周波数分割多元接続（ＦＤＭＡ）方式に関するタイミングチャートを示す。ＴＤＤ  ＯＦＤＭＭＡ方式を使用する通信システムにおいて、通信ユニットは、信号の送信及び受信に関する単一の周波数上に時間スロットを配分する。
【００２５】
副搬送波ｋに関する各々の送信ＢＳアンテナと各々のＭＳアンテナとの間のＲＦ伝播チャネルは、表１に示すように表示される。
【００２６】
【表１】
2010506451.tif 000003
【００２７】
Ｈは、ＲＦ伝播チャネルである。
図３の処理フロー図は、本願発明の第１の実施形態を示す。処理がステップ３００において開始し、ステップ３０２に直接移行して、ＢＳ１０２はデータ信号をＳＵ１０４に送信し、ステップ３０４においてデータ信号を受信する。ＳＵ１０４がデータ信号をＢＳ１０２に返送することによって応答するのに先立って、ＢＳ１０２は、ステップ３０６においてパイロット信号を含む共通のパイロット信号（ＣＰＳ）を送信する。ＢＳ１０２によって送られた共通のパイロット信号（ＣＰＳ）は、副搬送波周波数を含み、以下に記載されるように、各々のＢＳ１０２送信アンテナによって送信される。
【００２８】
図２は、ＤＬ、ＵＬ、ＵＬ音響との間の関係を、ＤＬデータ送信に関して示す。図２のＴＤＤプロットにおいて、第１のフレーム２０２におけるＤＬ制御チャネルは、ＳＵ１０４にＵＬ音響搬送波を割り当てる。ＳＵ１０４は、以下のＵＬフレーム２０４において割り当てられた副搬送波上にＵＬ音響信号を送信する。次のフレーム２０６において、又は処理が遅延した場合にはより後のいくつかのフレームにおいて、ＢＳは、受信したＵＬ音響信号に基づいてＤＬビームを形成する。
【００２９】
基本的に、ＤＬ共通のパイロット、即ち、パイロット信号上に重み付け（ビーム形成）を有しないＤＬパイロット信号がある。ＳＵは、全てのＢＳアンテナからのＤＬ共通のパイロットに基づいてＢＳアンテナ重み付けを計算する。ＳＵは、上述の計算されたアンテナ重み付けを搬送するＵＬ音響信号を送信する。ＢＳは、次に、ＵＬ音響信号を通じて伝えられたアンテナ重み付けを使用してＤＬデータを送信するためにＤＬビームを形成する。ＵＬ音響信号の従来の使用では、音響信号で搬送される情報はない。即ち、従来のシステムにおけるＵＬ音響信号は、参照信号と同類のものである。
【００３０】
【表２】
2010506451.tif 000004
【００３１】
上付き文字Ｈは、複素数の共役を示す。
ＴＤＤシステムにおいて、個別のアンテナ間のＤＬ  ＲＦ伝播チャネルを識別するために、ＵＬ副搬送波のサブセットは、各々の移動体送信アンテナから送信される。副搬送波ｉは送信アンテナ０上にあり、副搬送波ｉ＋Ｄは送信アンテナ１上にあり、同様に、副搬送波ｉ＋２Ｄは送信アンテナ２上にある。デシメーション係数は、この移動体に割り当てられた隣接する音響副搬送波間の副搬送波の数である。
【００３２】
ＳＵ１０４は、チャネル伝播とシステム遅延とによって、短い期間をおいた後に、ステップ３０８においてＤＬ共通のパイロット信号（ＣＰＳ）を受信し、共通のパイロットを処理する。ＳＵ１０４は、次に、公知の方法でチャネルパラメータを測定し、ステップ３１０において、ＢＳアンテナに付与されるべきダウンリンクビーム形成重み付け、即ちＢＳＡｎｔ−０のためのｗ０、ＢＳＡｎｔ−１のためのｗ１，ＢＳＡｎｔ−２のためのｗ２及びＢＳＡｎｔ−３ためのｗ３を計算する。
【００３３】
チャネルパラメータを測定した後、ＳＵ１０４は、ステップ３１０において計算されたアンテナ重み付けに対応する複素数値の積とチャネル応答の応答性に対応する複素数値の和の共役とを変調した後で、ステップ３１２において、上述に定義されるように、副搬送波ｉ上のＳ（ｉ）、副搬送波ｉ＋Ｄ上のＳ（ｉ＋Ｄ）、副搬送波ｉ＋２Ｄ上のＳ（ｉ＋２Ｄ）、及び副搬送波ｉ＋３Ｄ上のＳ（ｉ＋３Ｄ）を送信する。一つの実施形態における変調は、ｎアップリンク副搬送波内の各々のアップリンク副搬送波上でそれぞれの変調信号を変調することを含み、各々の変調信号は、ｎ個のダウンリンク送信アンテナ重み付け係数内の一つのダウンリンク送信アンテナ重み付け係数と対応する複素数値を備える。上述されるように、副搬送波の変調は、遠隔送信機から受信機への少なくとも一つのダウンリンクデータストリームに対応する第１のアンテナ重み付けを有する、ｎアップリンク副搬送波内の第１の副搬送波上でそれぞれの信号を変調するとともに、遠隔送信機から受信機への少なくとも一つのダウンリンクデータストリームストリームに対応するｍ番目アンテナ重み付けに対応する複素数値を有するｎ副搬送波のｍ番目を変調するものとして説明することができ、各々のアップリンク副搬送波は、デシメーション係数によって各々の他のアップリンク副搬送波から分離され、１＜ｍ≦ｎである。本願発明のある実施形態の変調は、さらに、第１の和を生成するために、ｎ基地局送信アンテナと少なくとも一つの送信可能な受信アンテナ内の受信アンテナとの間の第１の副搬送波に関するＲＦ伝播チャネルに対応する複素数値を合計し、第１の和の共役を計算し、変調信号を生成するために第１の和の共役に第１のダウンリンクアンテナ重み付けを乗算し、そして第１の副搬送波に関する変調信号をスケーリング（ｓｃａｌｉｎｇ）するステップとして記載される。ある実施形態は、チャネル応答の和の共役にアンテナ重み付けを乗算する前に、アンテナ重み付けに対応する複素数値を量子化する。この送信は、時間内に同時に行われ、ＳＵアンテナＳＵＡｎｔ−０  １６０のみから行われる。さらに、スケーリングは、送信信号の出力比を平均化するためにピーク値を減少させるように、Ｓ（ｉ）、Ｓ（ｉ＋Ｄ）、Ｓ（ｉ＋２Ｄ）及びＳ（ｉ＋３Ｄ）上に加えることができる。
【００３４】
ＢＳ１０２は、ステップ３１６において、以下の表３に示される受信アンテナの各々において信号を受信する。
【００３５】
【表３】
2010506451.tif 000005
【００３６】
表３において、Ｒ０はＢＳＡｎｔ−０で受信した信号であり、Ｒ１はＢＳＡｎｔ−１で受信された信号であり、Ｒ２はＢＳＡｎｔ−２で受信した信号であり、Ｒ３はＢＳＡｎｔ−３で受信した信号である。
【００３７】
ＴＤＤシステムに関する本願発明の一つの実施形態によると、副搬送波ｉ上の全てのアンテナで受信された全ての信号は、ステップ３１８において共に加えられ、この受信した信号は、以下のように表される。
【００３８】
【数１】
2010506451.tif 000006
【００３９】
次に、ステップ３２０において、ＳＵ１０４によって送信された、表２に規定されるようなＳ（ｉ）の値は、復号された重み付け値を求めるために式内に代入される。
【００４０】
【数２】
2010506451.tif 000007
【００４１】
ステップ３２２において、副搬送波ｉ＋Ｄ上の全てのアンテナで受信された全ての信号は、共に加えられ、この受信した信号は、以下のように表される。
【００４２】
【数３】
2010506451.tif 000008
【００４３】
ステップ３２４及び３２６において、副搬送波ｉ＋２Ｄ及びｉ＋３Ｄ上のそれぞれの全てのアンテナで受信した全ての信号は、共に加えられる。要するに、以下のように示される。
【００４４】
【数４】
2010506451.tif 000009
【００４５】
ここでｋ＝０，１，２，３である。
受信した信号γ（ｉ＋ｋＤ）から、ビーム形成重み付けｗｋに関する位相は、以下の式に従い、ステップ３２８において導出される。
【００４６】
【数５】
2010506451.tif 000010
【００４７】
Ａｔａｎ（  ）は、アークタンジェント関数であり、Ｉｍ（  ）は、複素数の虚数部であり、及びＲｅ（  ）は、複素数の実数部である。
導出された位相値は、次に、ステップ３３０において、「等価利得ビーム形成」におけるＢＳ１０２において使用される、即ち、ビーム形成重み付けの振幅は一定であり、ビーム形成重み付けの位相は、上述の式から導出され、送信アンテナＢＳＡｎｔ−０〜ＢＳＡｎｔ−３の各々に関する導出された重み付けｗｋを利用してデータをＳＵ１０４に送信する。処理は、ステップ３３２において終了する。
【００４８】
ＴＤＤシステムに関する本願発明の別の実施形態において、図４の処理フロー図において示されるように、ＳＵ１０４は、再度チャネルパラメータを測定し、図３のステップ３０２において行われたように、ダウンリンクビーム形成重み付け、すなわちＢＳＡｎｔ−０のためのｗ０、ＢＳＡｎｔ−１のためのｗ１、ＢＳＡｎｔ−２のためのｗ２及びＢＳＡｎｔ−３のためのｗ３を計算する。
【００４９】
第２のステップ４０４において、ＳＵ１０４は、１６個の音響シンボル副搬送波を含むＵＬ信号を送信する。これらの副搬送波は四つのグループにおけるＢＳアンテナで受信されて処理される。例えば、ＢＳアンテナ０は、副搬送波ｉ、ｉ＋Ｄ、ｉ＋２Ｄ及びｉ＋３Ｄを受信し、ＢＳアンテナ１は、副搬送波ｉ＋４Ｄ、ｉ＋５Ｄ、ｉ＋６Ｄ、ｉ＋７Ｄを受信する。
【００５０】
【表４】
2010506451.tif 000011
【００５１】
ＢＳ１０２では、ステップ４０６において、副搬送波ｉにおけるＢＳＡｎｔ−０、副搬送波ｉ＋４ＤにおけるＢＳＡｎｔ−１、副搬送波ｉ＋８ＤおけるＢＳＡｎｔ−２、及び副搬送波ｉ＋１２ＤにおけるＢＳＡｎｔ−３上で受信した信号は、加えられ、組み合わされた信号の結果は、以下の式の通りとなる。
【００５２】
【数６】
2010506451.tif 000012
【００５３】
次に、ステップ４０８において、直ぐ上の副搬送波チャートからＳ（ｉ）、Ｓ（ｉ＋４Ｄ）、Ｓ（ｉ＋８Ｄ）、及びＳ（ｉ＋１２Ｄ）は、以下の結果とともに、ｒ０に関する式に代入される。
【００５４】
【数７】
2010506451.tif 000013
【００５５】
次に、ステップ４１０において、副搬送波ｉ＋ｋＤにおけるＢＳＡｎｔ−０上の受信した信号、副搬送波ｉ＋（４＋ｋ）ＤにおけるＢＳＡｎｔ−１上の受信した信号、副搬送波ｉ＋（８＋ｋ）ＤにおけるＢＳＡｎｔ−２上の受信した信号、及び副搬送波ｉ＋（１２＋ｋ）ＤにおけるＢＳＡｎｔ−３上の受信した信号は、受信した信号ｒｋを形成するために同様に組み合わせられる。
【００５６】
【数８】
2010506451.tif 000014
【００５７】
ｗｋの位相は、ステップ４１２においてｒｋから検出される。
【００５８】
【数９】
2010506451.tif 000015
【００５９】
Ａｔａｎ（  ）は、アークタンジェント関数であり、Ｉｍ（  ）は、複素数の虚数部であり、Ｒｅ（  ）は、複素数の実数部である。処理は、ステップ４１４において終了する。
【００６０】
ＦＤＤ及びＴＤＤの両システムに関する本願発明の別の実施形態において、ＳＵ１０４は、再度チャネルパラメータを測定し、図３のステップ３０２において行ったように、ダウンリンクビーム形成重み付け、すなわちＢＳＡｎｔ−０のためのｗ０、ＢＳＡｎｔ−１のためのｗ１、ＢＳＡｎｔ−２のためのｗ２及びＢＳＡｎｔ−３のためのｗ３を計算する。
【００６１】
第２のステップにおいて、図３のステップ３１２のように、ＳＵは、ＵＬ音響副搬送波上にアンテナ重み付けを送信する。
【００６２】
【表５】
2010506451.tif 000016
【００６３】
ＵＬ音響信号を受信した後で、ＢＳ受信機は、初めに、ＵＬ音響チャネル（上の図に示されない）上に送信された参照信号を使用して又は公知の技術での他のＵＬデータ送信を使用してＵＬチャネル特性を測定する。次に、ＢＳ受信機は、以下の式に従い、ＤＬビーム形成アンテナ重み付け係数を判定する。
【００６４】
【数１０】
2010506451.tif 000017
【００６５】
ここで、Ｒ０（ｉ＋ｋＤ）は副搬送波ｉ＋ｋＤにおいてＢＳＡｎｔ−０上の受信信号であり、Ｒ１（ｉ＋ｋＤ）は副搬送波ｉ＋ｋＤにおいてＢＳＡｎｔ−１上の受信信号であり、Ｒ２（ｉ＋ｋＤ）は副搬送波ｉ＋ｋＤにおいてＢＳＡｎｔ−２上の受信信号であり、Ｒ３（ｉ＋ｋＤ）は副搬送波ｉ＋ｋＤにおいてＢＳＡｎｔ−３上の受信信号である。Ｈ＾００（ｉ＋ｋＤ）は、副搬送波ｉ＋ｋＤにおいてＭＳＡｎｔ−０からＢＳＡｎｔ−０への測定ＵＬチャネルであり、Ｈ＾１０（ｉ＋ｋＤ）は、副搬送波ｉ＋ｋＤにおいてＭＳＡｎｔ−０からＢＳＡｎｔ−１への測定ＵＬチャネルであり、Ｈ＾２０（ｉ＋ｋＤ）は、副搬送波ｉ＋ｋＤにおいてＭＳＡｎｔ−０からＢＳＡｎｔ−２への測定ＵＬチャネルであり、Ｈ＾３０（ｉ＋ｋＤ）は、副搬送波ｉ＋ｋＤにおいてＭＳＡｎｔ−０からＢＳＡｎｔ−３への測定ＵＬチャネルである。
【００６６】
導出された重み付け係数は、次にステップ３３０において、送信アンテナＢＳＡｎｔ−０〜ＢＳＡｎｔ−３の各々に関する導出された重み付けｗ＾ｋを利用することによってデータをＳＵ１０４に送信するために、ＢＳ１０２おけるダウンリンクビーム形成において使用される。処理が、ステップ３３２において終了する。
【００６７】
三つの実施形態は、単一のデータストリーム送信に関するものであり、即ち、一つのＢＳから一つの移動体へのビーム形成された単一の信号データストリームがある。同様なアプローチは、多重データストリームに拡張できる。この場合には、一つのＢＳから一つのＳＵに又は一つのＢＳから複数のＳＵへの同時多重データストリームがある。各々のデータストリームは、異なる一組のビーム形成重み付けを有する。この場合におけるＳＵ１０４は、これらのビーム形成重み付けの組を計算し且つこの重み付けをＢＳにフィードバックする。
【００６８】
例示の基地局制御装置
図５は、図１のＢＳコントローラ１１８のような、本願発明の実施形態によるＢＳコントローラ装置５００の詳細を示すブロック図である。一つの実施形態において、ＢＳコントローラ５００は、ＢＳ１０２内に存在する。他の実施形態において、ＢＳコントローラ５００は、ＢＳ１０２の外側に存在し、ＢＳ１０２に通信可能に結合される。ＢＳコントローラ５００は、メインメモリ５０６（例えば揮発性メモリ）と、不揮発性メモリ５１２と、インタフェースをネットワーク１００に提供するために使用されるネットワーク・アダプタ・ハードウェア５１６とに通信可能に接続されたプロセッサ５０４を含む。ＢＳプロセッサ５０４は、重み付け抽出プロセッサとして作動し、アップリンク副搬送波上の信号を復調することによって、それぞれのアップリンク副搬送波上で変調された複素数値をそれぞれ備える複数のダウンリンク送信アンテナ重み付けを抽出する。
【００６９】
本願発明の実施形態は、今日のアナログ及び／又はデジタル技術を含む任意のデータ通信接続とともに又は将来のネットワーク構造を介して働くように適合され得る。ＢＳ５００は、マンマシンインターフェース（”ＭＭＩ“）５１４をさらに含む。一つの実施形態において、ＭＭＩ５１４は、一つ以上の診断装置５２８をＢＳコントローラ５００に直接に接続するように使用される。システムバス５１８は、これらのシステムコンポーネントと相互接続する。
【００７０】
ＢＳコントローラ５００は、上述されるように、遠隔ＳＵ装置への音響信号の送信を制御するために音響送信機５０２に結合される。ＢＳコントローラ５００は、Ｔｘ／Ｒｘ重み付けユニット１５０にさらに結合され、上述されるように、各々の送信及び受信アンテナに付与された送信（Ｔｘ）アンテナ重み付け及び受信機（Ｒｘ）アンテナ重み付けを制御する。
【００７１】
本願発明の一つの実施形態において、ＢＳからＳＵへ送信される単一のダウンリンクデータストリームがあることを上述の記載から理解されたい。しかしながら、他の実施形態において、一つのＢＳから一つのＳＵ（単一ユーザＭＩＭＯビーム形成として公知である；ＭＩＭＯは基地局及びＳＵにおいて複数の送信／受信アンテナを備える多重入力／多重出力として定義される）へ又は一つのＢＳから複数のＳＵ（多重ユーザＭＩＭＯビーム形成として公知である）へ同時に送信された一つ以上のデータストリームがある。各々のデータストリームに関して、一組の基地局アンテナ重み付けがある。従って、ＳＵ当たり２つのダウンリンクデータストリームがある場合には、８つの重み付け係数がフィードバックされるのに必要である。第１の四つの重み付けがデータストリーム１に対応し、第２の四つの重み付けがデータストリーム２に対応する。
【００７２】
本願発明の例示の実施形態が、十分に機能的なコンピュータシステムの文脈において記載されるが、当業者は、実施形態が、フロッピー（登録商標）ディスク、例えば、フロッピー（登録商標）ディスク、ＣＤＲＯＭ又は他の形態の記録可能なメディアを介して又は任意の形式の電気的な送信機構を介してプログラム製品として配布されることが可能であることを分かるであろう。
【００７３】
制限されない例示
本発明の特定の実施形態が開示されるが、変更が、本発明の精神及び範囲から逸脱すること無しに特定の実施形態で行われることができることを当業者は理解する。従って、本発明の範囲は、特定の実施形態に制限されず、添付された特許請求の範囲は、本願発明の範囲に含まれる任意の及び全ての適用例、改良品、及び実施形態を網羅することを意図する。
【図１】
2010506451.tif 000018
【図２】
2010506451.tif 000019
【図３】
2010506451.tif 000020
【図４】
2010506451.tif 000021
【図５】
2010506451.tif 000022
【図６】
2010506451.tif 000023
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
ＲＦ通信受信機における方法において、
受信機における少なくとも一つの受信アンテナを使用してｎ個のダウンリンクパイロット信号を受信するステップであって、ｎ個のダウンリンクパイロット信号の各々が、前記ｎ個のダウンリンクパイロット信号を送信する遠隔送信機におけるｎ個のダウンリンク送信アンテナのうちの一つと関連付けられる、前記受信するステップと、
前記受信したｎ個のダウンリンクパイロット信号に基づいて、前記受信機における少なくとも一つの受信アンテナ内の各受信アンテナと前記遠隔送信機におけるｎ個のダウンリンク送信アンテナ内の各ダウンリンク送信アンテナとの間のＲＦ伝播チャネルを判定するステップと、
各ダウンリンクＲＦ伝播チャネルの特性に基づいて、前記遠隔送信機から前記受信機への各ダウンリンクデータストリームに関するｎ個のダウンリンク送信アンテナ重み付け係数を判定するステップであって、前記ｎ個のダウンリンク送信アンテナ重み付け係数内の各ダウンリンク送信アンテナ重み付け係数は、前記ｎ個のダウンリンク送信アンテナ内の一つのダウンリンク送信アンテナに付与されるべき重み付け係数に対応し、一つのダウンリンクデータストリームが、少なくとも一つのダウンリンクデータストリーム内の前記遠隔送信機から前記受信機に送信される、前記判定するステップと、
変調信号をｎ個のアップリンク副搬送波における第１のアップリンク副搬送波上に変調するステップと、
前記第１のアップリンク副搬送波を少なくとも一つの受信アンテナの内にある少なくとも一つの送受信アンテナを通じて送信するステップと、
を備え、前記変調するステップが、
第１の和を生成するために、ｎ個の基地局送信アンテナと、前記遠隔送信機における少なくとも一つの送受信アンテナとの間の前記第１の副搬送波に関するＲＦ伝播チャネルに対応する複素数値を合計するステップと、
前記第１の和の共役を計算するステップと、
変調信号を生成するために、前記第１の和の共役をｎ個のダウンリンクアンテナ重み付け係数における第１のダウンリンクアンテナ重み付け係数に乗算するステップと、
前記第１の副搬送波に関する変調信号をスケーリングするステップと、を含む方法。
【請求項２】
前記第１の和の共役を計算した後で、前記第１のダウンリンクアンテナ重み付けを量子化するステップを備える請求項１に記載の方法。
【請求項３】
ＲＦ通信受信機における方法において、
受信機における少なくとも一つの受信アンテナを使用してｎ個のダウンリンクパイロット信号を受信するステップであって、ｎ個のダウンリンクパイロット信号の各々が、前記ｎ個のダウンリンクパイロット信号を送信する遠隔送信機におけるｎ個のダウンリンク送信アンテナのうちの一つと関連付けられる、前記受信するステップと、
前記受信したｎ個のダウンリンクパイロット信号に基づいて、前記受信機における少なくとも一つの受信アンテナ内の各受信アンテナと前記遠隔送信機におけるｎ個のダウンリンク送信アンテナ内の各ダウンリンク送信アンテナとの間のＲＦ伝播チャネルを判定するステップと、
各ダウンリンクＲＦ伝播チャネルの特性に基づいて、前記遠隔送信機から前記受信機への各ダウンリンクデータストリームに関するｎ個のダウンリンク送信アンテナ重み付け係数を判定するステップであって、前記ｎ個のダウンリンク送信アンテナ重み付け係数内の各ダウンリンク送信アンテナ重み付け係数は、前記ｎ個のダウンリンク送信アンテナ内の一つのダウンリンク送信アンテナに付与されるべき重み付け係数に対応し、一つのダウンリンクデータストリームが、少なくとも一つのダウンリンクデータストリーム内の前記遠隔送信機から前記受信機に送信される、前記判定するステップと、
変調信号を各アップリンク副搬送波上に変調するステップと、
前記アップリンク副搬送波を少なくとも一つの受信アンテナの内にある少なくとも一つの送受信アンテナを通じて送信するステップと、
を備え、前記変調するステップが、
ｎ組の重み付けの積を識別するステップであって、ｎ組の重み付けの積の各々が、ｎ個の重み付けの積を含み、ｎ組の重み付け内の各組の重み付けの積は、前記遠隔送信機におけるｎ個のダウンリンク送信アンテナ内のそれぞれのダウンリンク送信アンテナによって受信される、前記識別するステップと、
ｎ個×ｎ個の重み付けの積の各重み付けの積を各副搬送波と関連付けるステップと、
ｎ組の重み付けの積の各々におけるｎ個の重み付けの積の各々を、前記ｎ個のダウンリンク送信アンテナ重み付け係数内の関係するダウンリンク送信アンテナ重み付け係数と関連付けるステップであって、ｎ組の重み付けの積の各々が、異なるダウンリンク送信アンテナ重み付け係数とそれぞれ関係するｎ個の重み付けの積を含む、前記関連付けるステップと、
ｎ組の重み付けの積の内の重み付けの積の各組を、関係するＲＦ伝播チャネルと関連付けるステップと、
重み付けの積に関するダウンリンク送信アンテナ重み付け係数の積と、その重み付けの積と関連した副搬送波に関するＲＦ伝播チャネルの複素数値の評価とを判定することによって、各重み付けの積を計算するステップと、
各副搬送波をそれに関連する重み付けの積を用いて変調するステップと、
を含む方法。
【請求項４】
ＲＦ通信受信機における方法において、
受信機における少なくとも一つの受信アンテナを使用してｎ個のダウンリンクパイロット信号を受信するステップであって、ｎ個のダウンリンクパイロット信号の各々が、前記ｎ個のダウンリンクパイロット信号を送信する遠隔送信機におけるｎ個のダウンリンク送信アンテナのうちの一つと関連付けられる、前記受信するステップと、
前記受信したｎ個のダウンリンクパイロット信号に基づいて、前記受信機における少なくとも一つの受信アンテナ内の各受信アンテナと前記遠隔送信機におけるｎ個のダウンリンク送信アンテナ内の各ダウンリンク送信アンテナとの間のＲＦ伝播チャネルを判定するステップと、
各ダウンリンクＲＦ伝播チャネルの特性に基づいて、前記遠隔送信機から前記受信機への各ダウンリンクデータストリームに関するｎ個のダウンリンク送信アンテナ重み付け係数を判定するステップであって、前記ｎ個のダウンリンク送信アンテナ重み付け係数内の各ダウンリンク送信アンテナ重み付け係数は、前記ｎ個のダウンリンク送信アンテナ内の一つのダウンリンク送信アンテナに付与されるべき重み付け係数に対応し、一つのダウンリンクデータストリームが、少なくとも一つのダウンリンクデータストリーム内の前記遠隔送信機から前記受信機に送信される、前記判定するステップと、
変調信号をｎ個のアップリンク副搬送波内の各アップリンク副搬送波上に変調するステップであって、各変調信号が、ｎ個のダウンリンク送信アンテナ重み付け係数内の一つのダウンリンク送信アンテナ重み付け係数と対応するアナログ複素数値を含む、前記変調するステップと、
前記アップリンク副搬送波を少なくとも一つの受信アンテナ内にある少なくとも一つの送受信アンテナを通じて送信するステップと、
を備える方法。
【国際調査報告】
2010506451.tif 000024
2010506451.tif 000025